(57)【特許請求の範囲】
【請求項１】
中桁に複数の段板が前記中桁の長手方向に一定間隔で固定され、少なくとも一方の側部に壁が設けられた階段構造において、
前記中桁の長手方向に一定間隔で固定された複数の段板のうち、少なくとも中桁の長手方向ほぼ中央部に位置する中央の段板の下面が前記壁に連結部材によって連結され、
前記連結部材は、前記段板の下面に固定される固定ブロックと、この固定ブロックに係合される係合部材と、前記壁に固定されて、前記係合部材が係合される被係合部材とを備えていることを特徴とする階段構造。
【請求項２】
請求項１に記載の階段構造において、
前記固定ブロックにはねじ孔が形成されており、前記係合部材は前記ねじ孔に螺合する棒状部材であり、前記被係合部材は前記壁に設けられた孔に挿入固定されて、前記棒状部材が螺合される挿入金具であること特徴とする階段構造。
【発明の詳細な説明】
【技術分野】
【０００１】
本発明は、中桁に複数の段板が前記中桁の長手方向に一定間隔で固定された階段構造に関する。
【背景技術】
【０００２】
近年、室内の見映えが良くなること、通気性や採光性に優れていることなどの理由から、建物の室内階段として、ストリップ階段の需要が高まっている。
このストリップ階段は、中桁（ささら桁）を略中央部に配置し、この中桁に複数の段板を該中桁の長手方向に一定間隔で固定してなるものである（例えば特許文献１参照）。
【特許文献１】特開２００５−１３９６９４号公報
【発明の開示】
【発明が解決しようとする課題】
【０００３】
ところで、上記のようなストリップ階段は、複数の段板がその略中央部下面を中桁（ささら桁）で支持されるとともに、蹴込板を省略した構造であるので、段板の両側部がそれぞれささら桁で支持されるとともに蹴込板を備えた階段よりも剛性が低くなる。
したがって、人が階段を昇降する際に、中央の中桁が撓んで、階段が横方向や縦方向に若干揺れる場合があった。
【０００４】
本発明は上記事情に鑑みてなされたもので、階段の揺れを防止できる階段構造を提供することを課題としている。
【課題を解決するための手段】
【０００５】
上記課題を解決するために、請求項１に記載の発明は、例えば図１〜図３に示すように、中桁３に複数の段板４が前記中桁３の長手方向に一定間隔で固定され、少なくとも一方の側部に壁２が設けられた階段構造において、
前記中桁３の長手方向に一定間隔で固定された複数の段板４のうち、少なくとも中桁３の長手方向ほぼ中央部に位置する中央の段板４の下面４ａが前記壁２に連結部材６によって連結され、
前記連結部材６は、前記段板の下面４ａに固定される固定ブロック７と、この固定ブロック７に係合される係合部材８と、前記壁２に固定されて、前記係合部材８が係合される被係合部材９とを備えていることを特徴とする。
【０００６】
請求項１に記載の発明によれば、中桁３の長手方向に一定間隔で固定された複数の段板４のうち、少なくとも中桁３の長手方向ほぼ中央部に位置する中央の段板４が前記壁２に連結部材６によって連結されているので、階段１の揺れ（横揺れや縦揺れ）を防止できる。
【０００８】
また、段板の下面４ａと壁２とが連結部材６によって連結されており、段板４の上面には連結部材６が位置していないので、連結部材６が階段１の昇降の際に支障となることがない。
【００１０】
また、段板の下面４ａに固定ブロック７を固定するとともに、壁２に被係合部材９を固定したうえで、係合部材８を固定ブロック７と被係合部材９とに係合することによって、段板４と壁２とを容易かつ確実に連結できる。また、階段１を施工した後でも、段板４と壁２とを容易に連結できる。
【００１１】
請求項２に記載の発明は、請求項１に記載の階段構造において、
前記固定ブロック７にはねじ孔７ａが形成されており、前記係合部材８は前記ねじ孔７ａに螺合する棒状部材８であり、前記被係合部材９は前記壁２に設けられた孔２ａに挿入固定されて、前記棒状部材８が螺合される挿入金具９であること特徴とする。
【００１２】
請求項２に記載の発明によれば、段板４の下面４ａに固定ブロック７を固定するとともに、壁２の孔２ａに挿入金具９を挿入固定したうえで、棒状部材８を固定ブロック７のねじ孔７ａに螺合するとともに、挿入金具９に螺合することによって、段板４と壁２とを容易に連結できる。
【発明の効果】
【００１３】
本発明によれば、中桁の長手方向に一定間隔で固定された複数の段板のうち、少なくとも中桁の長手方向ほぼ中央部に位置する中央の段板の下面が壁に連結部材によって連結されているので、階段の揺れ（横揺れや縦揺れ）を防止できる。
また、段板の下面に固定ブロックを固定するとともに、壁に被係合部材を固定したうえで、係合部材を固定ブロックと被係合部材とに係合することによって、段板と壁とを容易かつ確実に連結できる。また、階段を施工した後でも、段板と壁とを容易に連結できる。
【発明を実施するための最良の形態】
【００１４】
以下図面を参照して本発明の実施の形態について説明する。
図１は本発明に係る階段構造を示す斜視図である。この図に示すストリップ階段１は、建物の室内の壁２に沿って設けられ、一階と二階との間で行き来できるようになっている。
ストリップ階段１は、階段の幅方向中央部に、中桁（ささら桁）３を備えており、この中桁３に複数の段板４が該中桁３の長手方向に一定間隔で固定されている。中桁３は若干の隙間をあけて平行配置された２本の桁材３ａ，３ａによって構成されている。桁材３ａ，３ａの上面には、段板支持部３ｂ，３ｂが中桁３の長手方向に一定間隔で設けられており、この段板支持部３ｂ，３ｂによって段板４が水平に支持されている。
また壁２と反対側の側部には手摺５が設けられている。この手摺５はストリップ階段１の傾斜方向とほぼ平行に配置された笠木５ａと、この笠木５ａを支持する複数の手摺子５ｂとから構成されており、これら手摺子５ｂの下端部が段板４の右端部に固定されている。
【００１５】
前記中桁３の長手方向に一定間隔で固定された複数の段板４のうち、中桁３の長手方向ほぼ中央部に位置する中央の段板４が壁２に連結部材６によって連結されている。
この連結部材６は、図２におよび図３示すように、中央の段板４の下面４ａの左端部に固定される固定ブロック７と、この固定ブロック７に螺合（係合）される棒状部材（係合部材）８と、この棒状部材８が螺合される挿入金具（被係合部）９とを備えている。
固定ブロック７は直方体状のものであり、ねじ孔７ａが固定ブロック７の一方の端面から他方の端面に向けて貫通するようにして形成されている。また、前記段板４の下面４ａの左端部には、直方体状の切欠部４ｂが形成されている。この切欠部４ｂはその断面が固定ブロック７の断面とほぼ等しいか若干大きく形成されており、かつ、段板４の下面４ａと左端面とに開口している。また、切欠部４ｂの深さは、固定ブロック７の厚さより小さくなっている。
【００１６】
そして、この切欠部４ｂに固定ブロック７が下方から嵌め込まれて接着剤等によって接着固定されている。また、固定ブロック７は切欠部４ｂに嵌め込まれた状態で、その略下半分が段板４の下面４ａから突出しており、前記ねじ孔７ａは段板４の下面４ａより下方に位置している。
【００１７】
前記棒状部材８の細長い円柱状のものであり、その外周面には雄ねじ部８ａが形成されており、この雄ねじ部８ａは前記ねじ孔７ａに螺合するようになっている。また、棒状部材８の長さは固定ブロック７の長さより長くなっている。
前記挿入金具９は筒状に形成された挿入部９ａと、この挿入部９ａの基端部（左端部）に一体的に形成されたフランジ部９ｂとからなるものであり、挿入部９ａの内周面にはねじ孔９ｃが形成されている。
また、前記壁２には挿入金具９の挿入部９ａが挿入固定される孔２ａが形成されている。
【００１８】
そして、上記構成の連結部材６を用いて、段板４の下面４ａと壁２とを連結するには、まず、段板４に形成されている切欠部４ｂに固定ブロック７を下方から嵌め込み、接着剤等によって固定する。
一方、壁２の孔２ａに、挿入金具９の挿入部９ａを挿入固定するとともに、フランジ部９ｂを壁の表面に当接する。挿入部９ａの固定は接着剤等によって行う。
次に、固定ブロック７のねじ孔７ａに固定ブロック７の右端面から棒状部材８を挿入して回すことにより、ねじ孔７ａに棒状部材８の雄ねじ部８ａを螺合（係合）していく。なお、棒状部材８を回す場合、棒状部材８の右端面に形成された溝８ｂにドライバー等の工具を係合して回すことにより行う。
そして、固定ブロック７の左端面から出てきた棒状部材８の先端部を挿入金具９のねじ孔９ｃに螺合（係合）していく。これによって、棒状部材８は段板４の下面４ａに固定された固定ブロック７と壁２に挿入された挿入金具９とに螺合するので、段板４の下面４ａと壁２とが連結部材６によって連結されたことになる。
【００１９】
本実施の形態によれば、中桁３の長手方向に一定間隔で固定された複数の段板４のうち中桁３の長手方向ほぼ中央部に位置する中央の段板４が壁２に連結部材６によって連結されているので、階段１の揺れ（横揺れや縦揺れ）を防止できる。
また、段板４の下面４ａと壁２とが連結部材６によって連結されており、段板４の上面には連結部材６が位置していないので、連結部材６が階段１の昇降の際に支障となることがない。
さらに、段板４の下面４ａに固定ブロック７を固定するとともに、壁２の孔２ａに挿入金具９を挿入固定したうえで、棒状部材８を固定ブロック７のねじ孔７ａに螺合するとともに、挿入金具９のねじ孔９ｃに螺合することによって、段板４と壁２とを容易かつ確実に連結できる。
【００２０】
なお、本実施の形態では、中桁３の長手方向に一定間隔で固定された複数の段板のうち中桁３の長手方向ほぼ中央部に位置する中央の段板４を壁２に連結部材６によって連結したが、中央の段板４に加えて、他の段板４と壁２とを連結部材６によって連結してもよい。
また、本実施の形態では、段板４の下面４ａに形成された切欠部４ｂに固定ブロック７を嵌め込むようにしたが、段板４の下面４ａに切欠部４ｂを形成することなく、該下面４ａに固定ブロック７をビス等によって直接固定してもよい。このようにすれば、階段施工後においても、本発明に係る階段構造を追加工事として容易に施工できる。
【図面の簡単な説明】
【００２１】
【図１】本発明に係る階段構造の一例を示すもので、その斜視図である。
【図２】同、階段の段板と連結部材を示す斜視図である。
【図３】同、階段の段板と連結部材を示す断面図である。
【符号の説明】
【００２２】
１  ストリップ階段（階段）
２  壁
２ａ  孔
３  中桁
４  段板
４ａ  下面
５  手摺
６  連結部材
７  固定ブロック
７ａ  ねじ孔
８  棒状部材（係合部材）
９  挿入金具（被係合部材）
【図１】
0004822939.tif 000002
【図２】
0004822939.tif 000003
【図３】
0004822939.tif 000004